(57)【要約】【課題】本発明は、他のＣＤＣに接続される場合、容易に操作できるＣＤＣを提供することを目的とする。【解決手段】本発明に係るコンテナ型データセンターは、側壁を有するケーシングと、駆動装置と、伝動装置及び引き縄と、を備え、前記駆動装置は、モーター、回転軸及び前記モーターと前記回転軸との間に接続される変速器を備え、前記伝動装置は、前記回転軸に固定されるホイールを備え、前記引き縄の一方の自由端は、前記ホイールに固定され且つ巻かれ、他方の自由端は、前記側壁に固定され、前記モーターは、変速器を通じて回転軸を回転させ、ホイールを連動し、引き縄を解放する或いは巻き上げることができる。【選択図】図１
2012256316.tif 000002
【特許請求の範囲】
【請求項１】
側壁を有するケーシングと、駆動装置と、伝動装置及び引き縄と、を備え、前記駆動装置には、モーター、回転軸及び前記モーターと前記回転軸との間に接続される変速器を備え、前記伝動装置は、前記回転軸に固定されるホイールを備え、前記引き縄の一方の自由端は、前記ホイールに固定され且つ巻かれ、他方の自由端は、前記側壁に固定され、
前記モーターは、変速器を通じて前記回転軸を回転させ、前記ホイールを連動して、引き縄を解放する或いは巻き上げることができることを特徴とするコンテナ型データセンター。
【請求項２】
前記伝動装置は、前記ホイールが装着される枠を更に備え、
前記枠は、２つの固定板及び２つの連接柱を備え、前記連接柱は前記固定板に垂直に連接し、前記ホイールは前記固定板の間に回転可能に装着されることを特徴とする請求項１に記載のコンテナ型データセンター。
【請求項３】
前記伝動装置は、中空の連接部を更に備え、前記連接部は、前記ホイールから延伸して前記固定板を貫通し、且つ前記回転軸を収納できることを特徴とする請求項２に記載のコンテナ型データセンター。
【請求項４】
前記ケーシングは２つの端壁、１つの上壁及び１つの底壁を更に備え、
前記上壁には、前記上壁と垂直である支持板が設置され、前記連接柱の自由端は、前記固定板及び前記支持板を貫通してから、前記支持板に固定されることを特徴とする請求項２または３に記載のコンテナ型データセンター。
【請求項５】
前記駆動装置は、前記端壁に固定されることを特徴とする請求項４に記載のコンテナ型データセンター。
【請求項６】
前記側壁は、回転可能に前記底壁に固定されることを特徴とする請求項４または５に記載のコンテナ型データセンター。
【発明の詳細な説明】
【技術分野】
【０００１】
本発明は、コンテナ型データセンターに関するものである。
【背景技術】
【０００２】
コンテナ型データセンター（ＣＤＣ）は、移動させ易く、データ運算能力にも優れているため、現在広く応用されている。コンテナ型データセンターの中には、多くのサーバー、メモリそしてネットワーク設備などが設置されている。これらの設備を調整する時、ユーザーは、コンテナ型データセンターに設けられた扉を開けて、コンテナ型データセンター内に入り、これらの設備を調整する。
【発明の概要】
【発明が解決しようとする課題】
【０００３】
しかし、前記扉は、コンテナ型データセンターの一端に直接設けられているため、複数のコンテナ型データセンターの回線の接続を妨げ、またこの回線を接続するその操作も実に複雑である。
【０００４】
本発明の目的は、前記課題を解決し、簡単な操作で他のコンテナ型データセンターと接続できるコンテナ型データセンターを提供することである。
【課題を解決するための手段】
【０００５】
上記目的を達成するために、本発明に係るコンテナ型データセンターは、側壁を有するケーシングと、駆動装置と、伝動装置及び引き縄と、を備え、前記駆動装置は、モーター、回転軸及び前記モーターと前記回転軸との間に接続される変速器を備え、前記伝動装置は前記回転軸に固定されるホイールを備え、前記引き縄の一方の自由端は、前記ホイールに固定し且つ巻かれ、他方の自由端は、前記側壁に固定され、前記モーターは、変速器を通じて回転軸を回転させ、ホイールを連動して、引き縄を解放する或いは巻き上げることができる。
【発明の効果】
【０００６】
本発明に係るコンテナ型データセンターは、モーターを駆動させて、引き縄を解放させるだけで、側壁を開けることができるため、他のコンテナ型データセンターと接続する際、その操作は簡単である。
【図面の簡単な説明】
【０００７】
【図１】本発明の実施形態に係るコンテナ型データセンターの斜視図である。
【図２】図１に示す本発明の実施形態に係るコンテナ型データセンターの駆動装置の拡大図である。
【図３】図１に示す本発明の実施形態に係るコンテナ型データセンターの伝動装置の斜視図である。
【図４】図１に示す伝動装置が本発明の実施形態に係るコンテナ型データセンターに装着されることを示す図である。
【発明を実施するための形態】
【０００８】
図１に示したように、本発明の実施形態に係るコンテナ型データセンター１００は、ケーシング１０、２つの駆動装置３０、引き縄４０及び２つの伝動装置５０を備える。
【０００９】
前記ケーシング１０は、サーバー、メモリ及びネットワーク設備等を収容できる。前記ケーシング１０は、対向する２つの端壁１２と、前記端壁１２に対して垂直に前記端壁１２の上部及び底部からそれぞれ延伸し且つ連接する上壁１４、底壁１５及び２つの側壁１６と、を備える。端壁１２の上部には、それぞれ鋼の梁（図示せず）が設置されている。一方の端壁１２には、開閉可能な端扉１２２が設けられており、ユーザーは、前記端扉１２２を開けて、ケーシング１０内に出入りすることができる。図４に示したように、２つの支持板１８が、前記上壁１４の底面から垂直に延伸する。また、一方の側壁１６の底辺は、回転可能に底壁１５に連接される。
【００１０】
図２に示したように、前記駆動装置３０は、スクリュー又は他の固定部材によって、前記端壁１２の上部に位置する鋼の梁上に固定される。前記駆動装置３０は、モーター３２、変速器３４及び回転軸３６を備える。ケーシング１０の外部に設置されたスイッチ（図示せず）を操作することによって、前記モーター３２を駆動することができる。前記変速器３４は、前記モーター３２と前記回転軸３６との間に接続され、高速で回転する前記モーター３２の回転速度を、回転軸３６に適した低速の回転速度に変換し、回転軸３６を回転させる。
【００１１】
図３及び図４に示したように、前記伝動装置５０は、枠５２、ホイール５４及び連接部５８を備える。前記枠５２は、対向する２つの固定板５２２及び前記固定板５２２に垂直に連接する２つの連接柱５２４を備える。前記連接柱５２４は、それぞれ一方の固定板５２２を貫通する自由端５２６を設ける。前記自由端５２６は、更に前記上壁１４の底面から垂直に延伸する１つの支持板１８を貫通し、スクリュー又は他の固定部材によって、支持板１８に固定される。これにより、前記伝動装置５０は、ケーシング１０の上壁１４に固定される。前記ホイール５４は、回転可能に前記２つの固定板５２２の間に設置される。連接部５８は、前記ホイール５４から延伸し且つ一方の固定板５２２を貫通する。前記連接部５８は、中空で、前記駆動装置３０の回転軸３６を収納する。従って、前記連接部５８は、前記回転軸３６と共に回転し、ホイール５４を回転させる。前記引き縄４０の一方の自由端は、前記ホイール５４に固定された後、前記ホイール５４に巻かれ、他方の自由端は、底壁１５に回転可能に接続された側壁１６に固定される。これによって、前記側壁１６は、開閉可能に伝動装置５０に連接される。
【００１２】
前記側壁１６を開ける場合、先ずモーター３２を駆動して、前記ホイール５４を回転させ、引き縄４０をホイール５４から解放する。すると、底壁１５に回転可能に接続された前記側壁１６の上面が、前記上壁１４から離れる方向に徐々に開かれ、ケーシング１０を開ける。前記側壁１６を閉じる場合、前記モーター３２を駆動して、前記ホイール５４を開けた時とは逆方向に回転させて、引き縄４０をホイール５４に巻き上げることによって、前記側壁１６を閉じる。本実施形態に係る前記引き縄４０は、鋼の引き縄である。
【００１３】
他の実施形態において、前記駆動装置３０は、上壁１４の支持板１８に設置され、前記伝動装置５０は、端壁１２の鋼の梁上に固定されることも可能である。
【００１４】
本発明のコンテナ型データセンター１００は、モーター３２でホイール５４を回転させ、引き縄４０を解放する或いは巻き上げることによって、側壁１６を底壁１５に対して、回転させ、容易にケーシング１０を開閉することができるため、ケーシング１０内の設備を調整するのに便利である。
【００１５】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、添付の特許請求の範囲によって決まる。
【符号の説明】
【００１６】
１００  コンテナ型データセンター
１０  ケーシング
１２  端壁
１２２  端扉
１４  上壁
１５  底壁
１６  側壁
１８  支持板
３０  駆動装置
３２  モーター
３６  回転軸
４０  引き縄
５０  伝動装置
５２  枠
５２２  固定板
５２４  連接柱
５２６  自由端
５４  ホイール
５８  連接部
【図１】
2012256316.tif 000003
【図２】
2012256316.tif 000004
【図３】
2012256316.tif 000005
【図４】
2012256316.tif 000006